(57)【要約】【課題】各ソーラーパネルに取り付けたセンサーの状態を容易に把握し、各センサーで検知したデータを確実に取得するためのソーラーパネル用センサーの制御方法を提供する。【解決手段】ソーラーパネル用センサーの制御方法は、複数のソーラーパネルにそれぞれ取り付けたセンサーのうち、受信機と通信可能なものを親機、前記親機以外のものを子機とし、前記親機を始端として前記親機と複数の前記子機とを有線で直列に接続し、前記子機のうち前記親機と接続されている第１の子機を前記親機と一体的に扱い、さらに前記親機と一体化された第１の子機と接続されている第２の子機を前記親機と一体的に扱うことを終端まで繰り返し、前記親機が始端から終端までのセンサーで検出したデータを収集して前記受信機に送信する。【選択図】図１
2017131005.tif 000002
【特許請求の範囲】
【請求項１】
複数のソーラーパネルにそれぞれ取り付けたセンサーのうち、受信機と通信可能なものを親機、前記親機以外のものを子機とし、
前記親機を始端として前記親機と複数の前記子機とを有線で直列に接続し、
前記子機のうち前記親機と接続されている第１の子機を前記親機と一体的に扱い、さらに前記親機と一体化された第１の子機と接続されている第２の子機を前記親機と一体的に扱うことを終端まで繰り返し、
前記親機が始端から終端までのセンサーで検出したデータを収集して前記受信機に送信する、
ことを特徴とするソーラーパネル用センサーの制御方法。
【請求項２】
前記親機と一体化された子機を含む親機は、当該親機と接続されている子機を起動させるための信号を送り、
当該子機からの返信により当該子機の位置を特定した上で、当該子機を当該親機と一体化させる、
ことを特徴とする請求項１に記載のソーラーパネル用センサーの制御方法。
【請求項３】
前記親機と一体化された子機を含む親機と接続される子機が複数あり、
前記親機から終端に至る複数の系統のうち何れか一を選択する、
ことを特徴とする請求項１又は２に記載のソーラーパネル用センサーの制御方法。
【請求項４】
前記親機と一体化された子機を含む親機は、当該親機と接続されている子機のうち距離が最も近い子機を選択する、
ことを特徴とする請求項３に記載のソーラーパネル用センサーの制御方法。
【請求項５】
複数のソーラーパネルにそれぞれ取り付けた一群のセンサーであって、
前記センサーのうち、受信機と通信可能な何れか一を親機、前記親機以外を子機とし、
前記親機を始端として前記親機と複数の前記子機とを有線で直列に接続し、
前記子機のうち前記親機と接続されている第１の子機を前記親機と一体的に扱い、さらに前記親機と一体化された第１の子機と接続されている第２の子機を前記親機と一体的に扱うことを終端まで繰り返し、
前記親機が始端から終端までのセンサーで検出したデータを収集して前記受信機に送信する、
ことを特徴とするソーラーパネル用センサー。
【請求項６】
請求項５に記載のソーラーパネル用センサーで制御される、
ことを特徴とするソーラーパネル。
【発明の詳細な説明】
【技術分野】
【０００１】
本発明は、複数のソーラーパネルにそれぞれ取り付けられたセンサーを制御する方法に関する。
【背景技術】
【０００２】
ソーラーパネルは、太陽光を利用して発電するために、複数の太陽電池を縦横に配置してパネル状にしたものである。太陽光発電は、さらに複数のソーラーパネルを建物の屋根や架台などに配列して、ソーラーパネル毎に行う。太陽光発電は、主に太陽が出ている日中に発電が行われるが、過度の発熱など異常が発生していることを検知するために、安全対策としてセンサーやモニターが取り付けられることがある。なお、各ソーラーパネルを制御する場合には、ソーラーパネル毎にセンサー等を取り付ける必要がある。特許文献１に記載されているように、複数接続した太陽光発電パネル毎に動作状態を表示するようにした発明も開示されている。
【０００３】
しかし、各ソーラーパネルにセンサーを取り付ける場合、各センサーと受信機との間を有線で接続すると配線が複雑化してしまう。センサーが屋外で受信機が屋内にある場合は、壁に穴を空けるなど工事が必要となる。また、各センサーと受信機の間を無線で通信すると、多くのセンサーから一斉に情報が送信されて混線により通信速度が低下するおそれや、外部からの電波障害により情報が欠落するおそれもある。なお、特許文献２に記載されているように、各センサーの異常の有無など状態を把握するために、センサーにバーコード等を付して、そのバーコードを読み取り配置図として記録しておくことで、センサーの位置を特定する方法もある。
【先行技術文献】
【特許文献】
【０００４】
【特許文献１】特開２０１５−１５８９８号公報
【特許文献２】特許第５７５１９１２号公報
【発明の概要】
【発明が解決しようとする課題】
【０００５】
しかしながら、バーコード等によってセンサーの位置を特定する方法では、ソーラーパネルを屋根などに設置した後に、ソーラーパネルの裏面に取り付けたセンサーのバーコードを読み取ろうとすると、作業者が狭い隙間に手を伸ばして行うことになり、非常に作業しづらく、読取ミスの原因にもなる。
【０００６】
そこで、本発明は、各ソーラーパネルに取り付けたセンサーの状態を容易に把握し、各センサーで検知したデータを確実に取得するためのソーラーパネル用センサーの制御方法を提供することを目的とする。
【課題を解決するための手段】
【０００７】
上記の課題を解決するために、本発明であるソーラーパネル用センサーの制御方法は、複数のソーラーパネルにそれぞれ取り付けたセンサーのうち、受信機と通信可能なものを親機、前記親機以外のものを子機とし、前記親機を始端として前記親機と複数の前記子機とを有線で直列に接続し、前記子機のうち前記親機と接続されている第１の子機を前記親機と一体的に扱い、さらに前記親機と一体化された第１の子機と接続されている第２の子機を前記親機と一体的に扱うことを終端まで繰り返し、前記親機が始端から終端までのセンサーで検出したデータを収集して前記受信機に送信する、ことを特徴とする。
【０００８】
本発明において、前記親機と一体化された子機を含む親機は、当該親機と接続されている子機を起動させるための信号を送り、当該子機からの返信により当該子機の位置を特定した上で、当該子機を当該親機と一体化させる、ことを特徴とする。
【０００９】
本発明は、前記親機と一体化された子機を含む親機と接続される子機が複数あり、前記親機から終端に至る複数の系統のうち何れか一を選択する、ことを特徴とする。
【００１０】
本発明において、前記親機と一体化された子機を含む親機は、当該親機と接続されている子機のうち距離が最も近い子機を選択する、ことを特徴とする。
【００１１】
また、本発明であるソーラーパネル用センサーは、複数のソーラーパネルにそれぞれ取り付けた一群のセンサーであって、前記センサーのうち、受信機と通信可能な何れか一を親機、前記親機以外を子機とし、前記親機を始端として前記親機と複数の前記子機とを有線で直列に接続し、前記子機のうち前記親機と接続されている第１の子機を前記親機と一体的に扱い、さらに前記親機と一体化された第１の子機と接続されている第２の子機を前記親機と一体的に扱うことを終端まで繰り返し、前記親機が始端から終端までのセンサーで検出したデータを収集して前記受信機に送信する、ことを特徴とする。
【００１２】
さらに、本発明であるソーラーパネルは、前記ソーラーパネル用センサーで制御される、ことを特徴とする。
【発明の効果】
【００１３】
本発明によれば、各ソーラーパネルに取り付けたセンサーがどの位置にあり、有効に機能しているか否か等の状態を容易に把握することができる。また、それにより、各センサーで検知したデータを確実に取得することができるので、過度の発熱など異常が発生しているかどうかも容易に把握することができる。
【図面の簡単な説明】
【００１４】
【図１】本発明であるソーラーパネル用センサーの制御方法で制御するソーラーパネル用センサーの概要を示す図である。
【図２】本発明であるソーラーパネル用センサーの制御方法で制御するソーラーパネル用センサーの設置状態を示す図である。
【図３】本発明であるソーラーパネル用センサーの制御方法で制御するソーラーパネル用センサーの構成を示す図である。
【図４】本発明であるソーラーパネル用センサーの制御方法におけるソーラーパネル用センサーの親機と子機の連系方法を示す図である。
【図５】本発明であるソーラーパネル用センサーの制御方法における子機全体の特定方法を示す図である。
【図６】本発明であるソーラーパネル用センサーの制御方法において受信機と無線通信する場合を示す図である。
【図７】本発明であるソーラーパネル用センサーの制御方法において受信機と有線通信する場合を示す図である。
【図８】本発明であるソーラーパネル用センサーの制御方法の流れを示すフローチャートである。
【図９】本発明であるソーラーパネル用センサーの制御方法における子機の連系順について説明する図である。
【図１０】本発明であるソーラーパネル用センサーの制御方法における子機の連系順について説明する図である。
【発明を実施するための形態】
【００１５】
以下に、本発明の実施形態について図面を参照して詳細に説明する。なお、同一機能を有するものは同一符号を付け、その繰り返しの説明は省略する場合がある。
【実施例１】
【００１６】
まず、本発明であるソーラーパネル用センサーの制御方法で制御するソーラーパネル用センサーについて説明する。図１は、ソーラーパネル用センサーの概要を示す図である。図２は、ソーラーパネル用センサーの設置状態を示す図である。図３は、ソーラーパネル用センサーの構成を示す図である。
【００１７】
図１に示すように、ソーラーパネル用センサーは、建物１００の屋根１１０などに設置したソーラーパネル群２００に取り付けたセンサー３００である。ソーラーパネル群２００は、複数のソーラーパネルを縦横に配置したもので、各ソーラーパネルにセンサー３００が取り付けられる。なお、複数のセンサー３００をまとめた一群のセンサーをソーラーパネル用センサーとする。
【００１８】
図２に示すように、ソーラーパネル群２００は、架台１２０を利用して、所定の角度で設置される。できるだけ太陽光に対して垂直となる角度が望ましいが、時期や時間により架台１２０と太陽との相対位置は異なるので、予め架台１２０を所定の角度で固定しても良いし、架台１２０の角度を可変にしても良い。
【００１９】
ソーラーパネル群２００における各ソーラーパネル２１０には、表面に複数の太陽電池が縦横に配置され、裏面にセンサー３００が取り付けられる。ソーラーパネル２１０は、架台１２０の上に縦横に並置されるので、ソーラーパネル２１０に対してセンサー３００を取り付ける場所が同じであれば、センサー３００も縦横に並んだ位置となる。
【００２０】
一群のセンサーの例としては、図３に示すように、一列のソーラーパネル２１０における複数のセンサー３００を関連付けたものである。一群のセンサーのうち、一のセンサーを親機３１０とし、親機３１０以外を子機３２０〜３２８とする。そして、親機３１０を始端とし、親機３１０と子機３２０〜３２８とを有線で直列に接続する。
【００２１】
例えば、一群のセンサーを一列に並べたときに、始端のセンサーを親機３１０とし、親機３１０に最も近いセンサーを子機３２０とし、子機３２０の次に親機３１０に近いセンサーを子機３２１としていき、親機３１０から最も遠い終端のセンサーを子機３２８とすれば良い。なお、便宜上、始端側を上流、終端側を下流とする。そうすると、子機３２０から見ると、親機３１０が一つ上流のセンサーとなり、子機３２１が一つ下流のセンサーとなる。
【００２２】
次に、ソーラーパネル用センサーの制御方法について概要を説明する。図４は、ソーラーパネル用センサーの親機と子機の連系方法を示す図である。図５は、子機全体の特定方法を示す図である。図６は、受信機と無線通信する場合を示す図である。図７は、受信機と有線通信する場合を示す図である。
【００２３】
初期状態として、親機３１０のみ電源を入れ、子機３２０〜３２８は電源を切っておく。なお、子機３２０〜３２８の電源は、ソーラーパネル２１０の状態を検出するためのものであり、電源が入っていなくても他のセンサーからの信号を受信することは可能なものとする。すなわち、親機３１０及び子機３２０〜３２８を含むセンサー３００は、検出手段以外に通信手段、演算手段、記憶手段などを有する。
【００２４】
図４に示すように、最初の段階として、親機３１０は、親機３１０に接続されている子機３２０に対して信号を送る。信号は、子機３２０の電源を入れる命令が含まれていれば良い。子機３２０は、信号によって電源を入れられ、又は信号に基づいて自身の電源を入れる。そして、子機３２０は、自身が起動して有効に機能していることを示す信号を親機３１０に返す。
【００２５】
親機３１０は、子機３２０が起動したことを受け、子機３２０を親機３１０の一部として取り込む制御を行う。すなわち、子機３２０を取り込んだ状態の親機３１０を新たな親機３１１として扱う。なお、親機３１１は、親機３１０と子機３２０とが物理的に一体になっている必要はなく、子機３２０が親機３１０の支配下に置かれていれば良い。
【００２６】
次の段階として、親機３１１は、親機３１１に接続されている子機３２１に対して信号を送る。信号は、親機３１０から子機３２０を介して子機３２１に送られる。子機３２１は、信号によって電源が入り、自身が起動したことを親機３１１に返信する。親機３１１は、子機３２１が起動したことを受け、子機３２１を親機３１１の一部として取り込み、親機３１２となる。
【００２７】
図５に示すように、子機３２０から子機３２８までを取り込んで、親機３１０から親機３１９というように支配可能な範囲を広げていく。最後の段階においては、親機３１８が、親機３１８に接続されている子機３２８に対して信号を送り、子機３２８は、信号によって電源が入り、自身が起動したことを親機３１８に返信する。親機３１８は、子機３２８が起動したことを受け、子機３２８を親機３１８の一部として取り込み、親機３１９となる。親機３１９は、親機３１９に接続されている子機が存在しないことから、子機の取り込みが終了する。
【００２８】
親機３１０及び子機３２０〜３２８は、それぞれ自身が取り付けられているソーラーパネル２１０の状態を検出する。例えば、ソーラーパネル２１０への太陽光の照射量、ソーラーパネル２１０における発電量、ソーラーパネル２１０に異常が発生しているか否か、その他の情報を検出し、必要に応じて演算又は編集した情報を取得すれば良い。
【００２９】
そして、親機３１０は、支配下に置いている子機３２０〜３２８で検出したデータを収集する。例えば、親機３１０と直接に繋がっていない子機３２８で検出したデータは、子機３２７〜３２０を経由して親機３１０に送られる。すなわち、各センサーは、一つ下流のセンサーからデータを受け取り、自身のデータ及び下流のセンサーのデータをまとめて一つ上流のセンサーに送ることを、順次繰り返して行けば良い。
【００３０】
順次送信されるデータがどのセンサーで検出したものかを識別するために、子機３２０〜３２８には、位置を特定させるための位置情報を与え、記憶させておく。子機３２０〜３２８は、親機３１０に吸収されて一体化するときに、親機３１０に位置情報を伝達し、それを記憶させる。子機３２０〜３２８は、自身で検出したデータに位置情報を付与した上で、上流のセンサーに送信する。最上流の親機３１０は、親機３１０及び子機３２０〜３２８で検出したデータをまとめて記憶し一元管理する。なお、子機３２０〜３２８の位置が特定されていれば、子機３２０〜３２８を識別する情報でも良い。
【００３１】
親機３１０は、親機３１０自身が検出したデータと、子機３２０〜３２８から収集したデータを、一括して受信機３３０に送信する。図６に示すように、親機３１０と受信機３３０との通信は、無線で行っても良いし、図７に示すように、親機３１０と受信機３３０とを有線で接続して行っても良い。
【００３２】
複数のセンサー３００は、少なくとも有線で接続されている下流及び上流のセンサーと通信可能であり、最上流（始端）に位置する親機３１０は、受信機３３０と無線又は有線で通信可能である。親機３１０と子機３２０〜３２８とは機能的に同等でも良いし、異なっていても良い。なお、親機３１０と子機３２０〜３２８とを区別するために、形状や色を変えても良いし、異なるマーク等を付しても良い。無線通信としては、赤外線通信（光無線通信）、Ｗｉ−Ｆｉ（無線ＬＡＮ）、ブルートゥース（近距離無線通信）等の手段を用いれば良い。
【実施例２】
【００３３】
次に、ソーラーパネル用センサーの制御方法について詳細を説明する。図８は、ソーラーパネル用センサーの制御方法の流れを示すフローチャートである。図９は、子機の連系順について説明する図である。
【００３４】
実施例１においては、一群のセンサーとして、一列のソーラーパネル２１０における複数のセンサー３００の例を示したが、一の受信機３３０と通信する親機３１０は複数あり、親機３１０と接続される子機３２０〜３２８も複数の場合がある。
【００３５】
前段階として、複数のセンサー３００のうち、受信機３３０と通信可能なものを親機３１０として選定する。親機３１０は、複数であっても良い。例えば、縦横に配置されたソーラーパネル群２００の各列の先頭（１列目）のソーラーパネル２１０に設置されたセンサー３００を親機３１０にする等である。なお、親機３１０として選定されたもの以外は子機３２０〜３２８となるが、子機３２０〜３２８から親機３１０に至るルートが存在し、子機３２０〜３２８のみで孤立しないようにする。
【００３６】
各親機３１０における制御方法４００については、図８に示すように、接続子機確認４１０、近傍子機特定４２０、子機有効化４３０、親機子機一体化４４０、データ送信４５０等のステップにより実行される。なお、各ステップには、複数の処理が含まれることがある。
【００３７】
接続子機確認４１０は、子機３２０〜３２８のうち、親機３１０と有線で接続されているものに電源が入っているか否か確認するための信号を送る。例えば、図９に示す例の場合、子機３２０及び子機３２３が親機３１０と繋がっているので、親機３１０は、子機３２０と子機３２３に送信する。子機３２０及び子機３２３は、親機３１０からの信号を受けて、自身の起動状態と共に位置情報を返信する。親機３１０は、子機３２０及び子機３２３からの情報を受信する。
【００３８】
子機３２０及び子機３２３の起動状態を確認して、電源が入っていないものがあれば、近傍子機特定４２０のステップに進む。電源が入っていないものが全くなければ、子機３２０〜３２８の取り込みが完了したものとして、データ送信４５０のステップに進む。例えば、図９において、子機３２０からは、電源が入っておらず、位置が近いという情報を受信し、子機３２３からは、電源が入っておらず、位置が遠いという情報を受信したとする。
【００３９】
近傍子機特定４２０は、子機３２０〜３２８のうち、親機３１０と接続されており、電源が入っていないものの中で、親機３１０と最も近いものを取込対象として特定する。ただし、子機３２０〜３２８のうち親機３１０に取り込まれて一体的に扱われているものは取込対象から除く。例えば、図９において、親機３１０は、取込対象として位置の近い子機３２０を特定する。位置の近さは、親機３１０と子機３２０の最短距離、接続されている線の長さなどで判断すれば良い。次に、子機有効化４３０のステップに進む。
【００４０】
子機有効化４３０は、子機３２０〜３２８のうち取込対象として特定されたものに対して電源を入れて機能を有効化するための命令を送信する。例えば、図９において、子機３２０は、親機３１０の命令により起動し、親機３１０は、有効化した子機３２０から起動状態を受信する。次に、親機子機一体化４４０のステップに進む。
【００４１】
親機子機一体化４４０は、子機３２０〜３２８のうち取込対象として特定され、電源が入ったものを、親機３１０に取り込んで一体的に扱う。例えば、図９において、子機３２０を親機３１０の一部として扱えば良い。そして、接続子機確認４１０のステップに戻って、子機３２０〜３２８の取込みを繰り返す。
【００４２】
図９において、子機３２０を取り込んだ親機３１０は、次に子機３２１と子機３２３のうち、子機３２１を取り込む。子機３２０、３２１を取り込んだ親機３１０は、次に子機３２２と子機３２３のうち、子機３２２を取り込む。さらに、子機３２３、子機３２４の順に取り込んで完了する。
【００４３】
データ送信４５０は、子機３２０〜３２８のうち親機３１０に取り込まれたものがそれぞれ検出したデータを収集し、まとめて集合データとして受信機３３０に送信する。集合データは、各子機が検出したデータに、どの子機のデータか識別する情報を付加した上で、下流側から上流側に順次送る際に追加されていけば良い。なお、各子機から親機３１０にデータが伝達される毎に受信機３３０に送信しても良いし、親機３１０に各子機のデータを蓄積しておき、一定時間ごとに受信機３３０に送信しても良い。
【実施例３】
【００４４】
実施例２においては、親機３１０と接続される子機３２０〜３２８が複数ある例を示したが、例えば、列方向及び行方向に格子状に接続されている場合など、子機３２０〜３２８同士の有線接続が複数の場合もある。この場合、直列に繋げるために上流側と下流側を特定する必要がある。図１０は、子機の連系順について説明する図である。なお、子機３２０、３２１、３２２は、既に他の親機に取り込まれているものとする。
【００４５】
図１０に示すように、最初の段階で、親機３１０は、接続子機確認４１０により子機３２０と子機３２３の起動状態を確認し、近傍子機特定４２０により子機３２０は取込対象から除外されるので子機３２３を取込対象として特定し、子機有効化４３０により子機３２３の電源を入れ、親機子機一体化４４０により子機３２３を取り込む。
【００４６】
次の段階で、親機３１０は、接続子機確認４１０により子機３２４と子機３２５の起動状態を確認し、近傍子機特定４２０により子機３２３を含む親機３１０と最も距離の近い子機３２４を取込対象として特定し、子機有効化４３０により子機３２４の電源を入れ、親機子機一体化４４０により子機３２４を取り込む。
【００４７】
次の段階で、親機３１０は、接続子機確認４１０により子機３２５と子機３２６の起動状態を確認し、近傍子機特定４２０により子機３２３、３２４を含む親機３１０と最も距離の近い子機３２５を取込対象として特定し、子機有効化４３０により子機３２５の電源を入れ、親機子機一体化４４０により子機３２５を取り込む。このとき、子機３２３と子機３２５を繋ぐ線と、子機３２４と子機３２５を繋ぐ線とがあるが、線長の短い方が選択される。
【００４８】
次の段階で、親機３１０は、接続子機確認４１０により子機３２５と子機３２６の起動状態を確認し、近傍子機特定４２０により子機３２３、３２４を含む親機３１０と最も距離の近い子機３２５を取込対象として特定し、子機有効化４３０により子機３２５の電源を入れ、親機子機一体化４４０により子機３２５を取り込む。
【００４９】
次の段階で、親機３１０は、接続子機確認４１０により子機３２６の起動状態を確認し、近傍子機特定４２０により子機３２６を取込対象として特定し、子機有効化４３０により子機３２６の電源を入れ、親機子機一体化４４０により子機３２６を取り込む。このとき、子機３２４と子機３２６を繋ぐ線と、子機３２５と子機３２６を繋ぐ線とがあるが、線長の短い方が選択される。
【００５０】
その他に子機が存在しないことから子機３２６を終端として取込みを完了する。このように、親機３１０から複数の子機を一度だけ経由して終端に至る経路が複数存在する場合に、何れかの系統が選択される。なお、親機３１０と一の子機とは一の経路で繋がるが、一の子機と他の子機とは親機３１０から見て並列になる場合もあり得る。図１０に示す例では、親機３１０、子機３２３、子機３２４、子機３２５、子機３２６の系統が選択される。
【００５１】
なお、親機３１０と各子機との距離のうち、最短距離が同じものが複数あった場合には、任意の子機を選択すれば良い。また、子機３２０〜３２８のうち孤立してしまうものが発生する場合には、例外的に一の子機について重複して経由させるようにしても良いし、孤立した子機と親機３１０とを無線で通信させるようにしても良い。子機３２０〜３２８の何れかに異常があり、その下流のセンサーが孤立する場合も同様である。
【００５２】
このように、各ソーラーパネル２１０に取り付けたセンサー３００がどの位置にあり、有効に機能しているか否か等の状態を容易に把握することができる。また、それにより、各センサー３００で検知したデータを確実に取得することができるので、過度の発熱など異常が発生しているかどうかも容易に把握することができる。
【００５３】
以上、本発明の実施例を述べたが、これらに限定されるものではない。例えば、親機３１０が子機を３２０〜３２８を取り込む処理をコンピュータプログラムで実現する場合には、各種探索法や最短経路を求めるアルゴリズムを利用すれば良い。
【符号の説明】
【００５４】
１００：建物
１１０：屋根
１２０：架台
２００：ソーラーパネル群
２１０：ソーラーパネル
３００：センサー
３１０〜３１９：親機
３２０〜３２８：子機
３３０：受信機
４００：制御方法
４１０：接続子機確認
４２０：近傍子機特定
４３０：子機有効化
４４０：親機子機一体化
４５０：データ送信
【図１】
2017131005.tif 000003
【図２】
2017131005.tif 000004
【図３】
2017131005.tif 000005
【図４】
2017131005.tif 000006
【図５】
2017131005.tif 000007
【図６】
2017131005.tif 000008
【図７】
2017131005.tif 000009
【図８】
2017131005.tif 000010
【図９】
2017131005.tif 000011
【図１０】
2017131005.tif 000012
【手続補正書】
【提出日】平成28年8月18日(2016.8.18)
【手続補正１】
【補正対象書類名】特許請求の範囲
【補正対象項目名】全文
【補正方法】変更
【補正の内容】
【特許請求の範囲】
【請求項１】
複数のソーラーパネルにそれぞれ取り付けたセンサーのうち、一のセンサーは他の複数のセンサーと有線で接続されており、受信機と通信可能なものを親機、前記親機以外のものを子機としたとき、前記親機を始端として前記親機と複数の前記子機とが直列に繋がるように当該有線の経路を選定し、
前記経路において始端側を上流、終端側を下流としたとき、前記始端のセンサーが下流に接続されているセンサーを有効化し、当該下流のセンサーがさらに下流に接続されているセンサーを有効化することを終端のセンサーまで繰り返し、
前記終端のセンサーが検出した発電状態に識別情報を付加したデータを上流に接続されているセンサーに送信し、当該上流のセンサーが受信したデータに当該上流のセンサーが検出した発電状態に識別情報を付加したデータを追加して、さらに上流に接続されているセンサーに送信することを始端のセンサーまで繰り返し、
前記親機が終端から始端までのセンサーから収集したデータを前記受信機に送信する、
ことを特徴とするソーラーパネル用センサーの制御方法。
【請求項２】
上流のセンサーは、当該上流のセンサーと接続されている複数のセンサーにそれぞれ信号を送り、返信された起動状態を確認してまだ経路に入っていない一のセンサーを下流のセンサーとして特定する、
ことを特徴とする請求項１に記載のソーラーパネル用センサーの制御方法。
【請求項３】
上流のセンサーは、返信された位置情報を確認して距離が最も近いセンサーを下流のセンサーとして特定する、
ことを特徴とする請求項２に記載のソーラーパネル用センサーの制御方法。
【請求項４】
上流のセンサーは、下流のセンサーの発電状態に異常があった場合に、さらに下流のセンサーに至る別の経路を選定する、
ことを特徴とする請求項１乃至３の何れか一に記載のソーラーパネル用センサーの制御方法。
【請求項５】
請求項１乃至４の何れか一に記載の制御方法で制御される、
ことを特徴とするソーラーパネル用センサー。
【請求項６】
請求項５に記載のソーラーパネル用センサーが取り付けられた、
ことを特徴とするソーラーパネル。
【手続補正２】
【補正対象書類名】明細書
【補正対象項目名】０００７
【補正方法】変更
【補正の内容】
【０００７】
上記の課題を解決するために、本発明であるソーラーパネル用センサーの制御方法は、複数のソーラーパネルにそれぞれ取り付けたセンサーのうち、一のセンサーは他の複数のセンサーと有線で接続されており、受信機と通信可能なものを親機、前記親機以外のものを子機としたとき、前記親機を始端として前記親機と複数の前記子機とが直列に繋がるように当該有線の経路を選定し、前記経路において始端側を上流、終端側を下流としたとき、前記始端のセンサーが下流に接続されているセンサーを有効化し、当該下流のセンサーがさらに下流に接続されているセンサーを有効化することを終端のセンサーまで繰り返し、前記終端のセンサーが検出した発電状態に識別情報を付加したデータを上流に接続されているセンサーに送信し、当該上流のセンサーが受信したデータに当該上流のセンサーが検出した発電状態に識別情報を付加したデータを追加して、さらに上流に接続されているセンサーに送信することを始端のセンサーまで繰り返し、前記親機が終端から始端までのセンサーから収集したデータを前記受信機に送信する、ことを特徴とする。
【手続補正３】
【補正対象書類名】明細書
【補正対象項目名】０００８
【補正方法】変更
【補正の内容】
【０００８】
本発明において、上流のセンサーは、当該上流のセンサーと接続されている複数のセンサーにそれぞれ信号を送り、返信された起動状態を確認してまだ経路に入っていない一のセンサーを下流のセンサーとして特定する、ことを特徴とする。
【手続補正４】
【補正対象書類名】明細書
【補正対象項目名】０００９
【補正方法】変更
【補正の内容】
【０００９】
本発明において、上流のセンサーは、返信された位置情報を確認して距離が最も近いセンサーを下流のセンサーとして特定する、ことを特徴とする。
【手続補正５】
【補正対象書類名】明細書
【補正対象項目名】００１０
【補正方法】変更
【補正の内容】
【００１０】
本発明において、上流のセンサーは、下流のセンサーの発電状態に異常があった場合に、さらに下流のセンサーに至る別の経路を選定する、ことを特徴とする。
【手続補正６】
【補正対象書類名】明細書
【補正対象項目名】００１１
【補正方法】変更
【補正の内容】
【００１１】
また、本発明であるソーラーパネル用センサーは、前記制御方法で制御される、ことを特徴とする。
【手続補正７】
【補正対象書類名】明細書
【補正対象項目名】００１２
【補正方法】変更
【補正の内容】
【００１２】
さらに、本発明であるソーラーパネルは、前記ソーラーパネル用センサーが取り付けられた、ことを特徴とする。